(57)【要約】【課題】感光ドラムの周囲にオゾンが滞留することを抑制することを目的とする。【解決手段】画像形成装置は、筐体１０と、感光ドラム５１と、スコロトロン型帯電器１００と、感光ドラム５１を清掃するためのクリーニングブレード１４５を備える。スコロトロン型帯電器１００の帯電フレーム１２０は、放電ワイヤ１０２を挟んで対向する第１壁１２２および第２壁１２３と、第１壁１２２と第２壁１２３を連結するとともに開口１２９を有する第３壁１２４と、第３壁１２４から感光ドラム５１と反対側に延び、閉位置と開位置との間で移動可能なカバー１２５を備える。第３壁１２４と閉位置にあるカバー１２５との距離Ｄ１は、開口１２９の長さＤ２よりも短い。【選択図】図４
2016191812.tif 000002
【特許請求の範囲】
【請求項１】
筐体と、
回転可能な感光ドラムと、
前記感光ドラムと間隔を空けて配置され、前記感光ドラムを帯電させるためのスコロトロン型帯電器と、
前記感光ドラムの回転方向において前記スコロトロン型帯電器の上流側に位置し、前記感光ドラムと前記スコロトロン型帯電器とが対向する方向に延び、前記スコロトロン型帯電器と対向して配置される第１壁部と、を備える画像形成装置であって、
前記スコロトロン型帯電器は、前記感光ドラムの回転軸線方向に延びる放電ワイヤと、
前記放電ワイヤを支持する帯電フレームと、前記回転軸線方向に移動可能で、前記放電ワイヤを清掃するためのワイヤクリーナと、を有し、
前記帯電フレームは、
前記回転軸線方向に延び、前記感光ドラムの回転方向において前記放電ワイヤの上流側に位置する第１壁であって、前記感光ドラムに近い一端と、前記感光ドラムから遠い他端とを有する第１壁と、
前記回転軸線方向に延び、前記放電ワイヤを挟んで前記第１壁と対向し、前記感光ドラムの回転方向において前記放電ワイヤの下流側に位置する第２壁であって、前記感光ドラムに近い一端と、前記感光ドラムから遠い他端とを有する第２壁と、
前記回転軸線方向に延び、前記第１壁の他端と前記第２壁の他端とを連結するとともに開口を有する第３壁であって、前記ワイヤクリーナが移動するときに前記開口を通過するように案内するためのガイドを有する第３壁と、
前記回転軸線方向に延び、前記第３壁から前記感光ドラムと反対側に延びる第４壁であって、前記第３壁に近い第１位置と前記第３壁から遠い第２位置との間で移動可能な第４壁と、を備え、
前記第３壁と前記第１位置にある前記第４壁との距離は、前記第１壁の他端と前記第２壁の他端とを結ぶ第１方向における前記開口の長さよりも小さい、ことを特徴とする画像形成装置。
【請求項２】
前記第３壁と前記第１位置にある前記第４壁との間に形成される前記第１方向における流路の最小断面積は、前記開口の最小流路断面積よりも小さい、ことを特徴とする請求項１に記載の画像形成装置。
【請求項３】
前記第４壁は、前記第１位置にあるとき、前記開口の全体を覆う、ことを特徴とする請求項１または２に記載の画像形成装置。
【請求項４】
前記第４壁は、
前記第３壁から前記感光ドラムと反対側に向けて延びる第１部分であって、前記第３壁に近い一端と、前記第３壁から遠い他端とを有する第１部分と、
前記第１位置にあるとき、前記第１部分の他端から前記第１方向に沿って延びる第２部分と、
を有している、ことを特徴とする請求項１から請求項３のいずれか１項に記載の画像形成装置。
【請求項５】
前記第３壁は、前記感光ドラムと反対側に突出して前記回転軸線方向に延びる第１突出部を有し、
前記第２部分は、前記第１部分に近い一端と、前記第１部分から遠い他端とを有し、
前記第１突出部は、前記第２部分の他端から離れて配置されている、ことを特徴とする請求項４に記載の画像形成装置。
【請求項６】
前記第１突出部は、前記第１方向における前記第３壁の端部から突出している、ことを特徴とする請求項５に記載の画像形成装置。
【請求項７】
前記第１突出部は、前記第２部分の他端よりも前記感光ドラムと反対側に突出している、ことを特徴とする請求項５または請求項６に記載の画像形成装置。
【請求項８】
前記第３壁と前記第１位置にある前記第４壁との間の距離は、前記帯電器と前記第１壁部との間の距離よりも小さい、ことを特徴とする請求項１から請求項７のいずれか１項に記載の画像形成装置。
【請求項９】
前記第１壁部は、前記感光ドラムを清掃するためのクリーニング部材を有する、ことを特徴とする請求項１から請求項８のいずれか１項に記載の画像形成装置。
【請求項１０】
前記クリーニング部材は、前記感光ドラムと接触するブレードと、前記ブレードを支持する支持板とを有し、
前記支持板は金属からなる、ことを特徴とする請求項９に記載の画像形成装置。
【請求項１１】
前記スコロトロン型帯電器および前記第１壁部との間で閉空間を形成するダクトを構成するための第２壁部を備えている、ことを特徴とする請求項１から請求項１０のいずれか１項に記載の画像形成装置。
【請求項１２】
前記第２壁部と前記スコロトロン型帯電器の間に配置された第１シールをさらに備える、ことを特徴とする請求項１１に記載の画像形成装置。
【請求項１３】
前記第１壁部と前記第２壁部の間に配置された第２シールをさらに備える、ことを特徴とする請求項１１または請求項１２に記載の画像形成装置。
【請求項１４】
前記帯電フレームは、前記回転軸線方向に延び、前記第４壁と前記第３壁の間に配置された第２突出部を有する、ことを特徴とする請求項１から請求項１３のいずれか１項に記載の画像形成装置。
【請求項１５】
前記筐体の内部に空気を導くためのファンを備え、
前記ダクトは、前記回転軸線方向における一端部に空気を導入するためのダクト開口を有し、
前記第２突出部は、前記回転軸線方向において複数配置され、
前記回転軸線方向における各前記第２突出部の長さは、前記回転軸線方向において前記ダクト開口から離れるにつれて短くなる、ことを特徴とする請求項１４に記載の画像形成装置。
【請求項１６】
前記筐体の内部に空気を導くためのファンを備え、
前記ダクトは、前記回転軸線方向における一端部に空気を導入するためのダクト開口を有し、
前記第２突出部は、前記回転軸線方向において複数配置され、
前記回転軸線方向における前記第２突出部どうしの間隔は、前記回転軸線方向において前記ダクト開口から離れるにつれて長くなる、ことを特徴とする請求項１４または請求項１５に記載の画像形成装置。
【請求項１７】
前記ガイドは、前記ワイヤクリーナの非使用時に前記ワイヤクリーナの移動を規制する規制部を有する、ことを特徴とする請求項１から請求項１６のいずれか１項に記載の画像形成装置。
【請求項１８】
前記感光ドラムに対応して設けられ、前記感光ドラムと接触して回転する現像ローラと、現像剤を収容する現像フレームと、を有する現像カートリッジをさらに備え、
前記感光ドラムは、第１感光ドラムと、前記第１感光ドラムと異なる第２感光ドラムと、を含み、
前記現像カートリッジは、前記第１感光ドラムに対応して設けられた第１現像カートリッジと、前記第２感光ドラムに対応して設けられた第２現像カートリッジと、を含み、
前記第１感光ドラムに対応して設けられた前記第２壁部は、前記第２現像カートリッジの現像フレームの一部である、ことを特徴とする請求項１１から請求項１７のいずれか１項に記載の画像形成装置。
【発明の詳細な説明】
【技術分野】
【０００１】
本発明は、感光ドラムの周囲にオゾンが滞留することを抑制する構成を備えた画像形成装置に関する。
【背景技術】
【０００２】
従来、感光ドラムと、感光ドラムに対して間隔を空けて対向配置される帯電装置と、感光ドラムの表面を清掃するためのクリーニングブレードと、を備えた画像形成装置が知られている（例えば、特許文献１参照）。
【先行技術文献】
【特許文献】
【０００３】
【特許文献１】特開２００４−１０９５３８号公報
【発明の概要】
【発明が解決しようとする課題】
【０００４】
しかしながら、クリーニングブレードを用いた画像形成装置の場合には、帯電器から発生したオゾンが感光ドラムとクリーニングブレードとの接触部分の周辺に滞留する虞がある。その結果、感光ドラムの劣化が促進され、画像品質が低下することになる。
【０００５】
本発明は、以上のような背景に鑑みてなされたものであり、画像形成装置がクリーニングブレード等のクリーニング部材を備える場合にも、感光ドラムの周囲にオゾンが滞留することを抑制することを目的とする。
【課題を解決するための手段】
【０００６】
前記した目的を達成するため、本発明の画像形成装置は、筐体と、回転可能な感光ドラムと、感光ドラムと間隔を空けて配置され、感光ドラムを帯電させるためのスコロトロン型帯電器と、感光ドラムの回転方向においてスコロトロン型帯電器の上流側に位置し、感光ドラムとスコロトロン型帯電器とが対向する方向に延び、スコロトロン型帯電器と対向して配置される第１壁部とを備える。
そして、スコロトロン型帯電器は、感光ドラムの回転軸線方向に延びる放電ワイヤと、放電ワイヤを支持する帯電フレームと、回転軸線方向に移動可能で、放電ワイヤを清掃するためのワイヤクリーナと、を有する。
帯電フレームは、第１壁と、第２壁と、第３壁と、第４壁とを備える。
第１壁は、回転軸線方向に延び、感光ドラムの回転方向において放電ワイヤの上流側に位置している。そして、感光ドラムに近い一端と、感光ドラムから遠い他端とを有する。
第２壁は、回転軸線方向に延び、放電ワイヤを挟んで第１壁と対向し、感光ドラムの回転方向において放電ワイヤの下流側に位置している。そして、感光ドラムに近い一端と、感光ドラムから遠い他端とを有する。
第３壁は、回転軸線方向に延び、第１壁の他端と第２壁の他端とを連結するとともに開口を有している。さらに、第３壁は、ワイヤクリーナが移動するときに開口を通過するように案内するためのガイドを有する。
第４壁は、回転軸線方向に延び、第３壁から感光ドラムと反対側に延びている。そして、第３壁に近い第１位置と第３壁から遠い第２位置との間で移動可能に構成される。
さらに、第３壁と第１位置にある第４壁との距離は、第１壁の他端と第２壁の他端とを結ぶ第１方向における開口の長さよりも小さくなっている。
【０００７】
このような構成によれば、第３壁と第１位置にある第４壁との距離が、第１方向における開口の長さよりも小さくなっているので、第３壁と第４壁によって形成される流路内を空気が流れにくく、その分、より多くの空気がスコロトロン型帯電器と第１壁部の間を通って、感光ドラム側に流れることになる。その結果、スコロトロン型帯電器の放電によって発生した感光ドラムの周囲にあるオゾンを、スコロトロン型帯電器と第１壁部の間を通る空気により押し流すことが可能となる。
また、第４壁を第２位置へ移動させることで、ユーザはワイヤクリーナの操作を容易に行うことができる。
【０００８】
前記した画像形成装置において、第３壁と第１位置にある第４壁との間に形成される第１方向における流路の最小断面積は、開口の最小流路断面積よりも小さいことが好ましい。
【０００９】
このような構成によれば、第１位置にある第４壁と第３壁との間に形成される空間と、開口と、スコロトロン型帯電器と感光ドラムの間の空間とを結ぶ流路において、開口よりも上流側で第３壁と第４壁によって形成される流路の最小断面積が開口の最小流路断面積よりも小さいので、回転軸線方向で流路の断面形状が変化するような場合でも、より多くの空気がスコロトロン型帯電器と第１壁部の間を通って感光ドラム側に流れることになる。
【００１０】
前記した画像形成装置において、第４壁は、第１位置にあるとき、開口の全体を覆うことが好ましい。
【００１１】
このような構成によれば、第４壁が開口の全体を覆うことにより、流路の長さを長くすることが可能となり、より多くの空気がスコロトロン型帯電器と第１壁部の間を通って感光ドラム側に流れることになる。
【００１２】
前記した画像形成装置において、第４壁は、第３壁から感光ドラムと反対側に向けて延び、第３壁に近い一端と、第３壁から遠い他端とを有する第１部分と、第１位置にあるとき、第１部分の他端から第１方向に沿って延びる第２部分と、を有していることが好ましい。
【００１３】
このような構成によれば、第４壁が第１位置にあるとき、第４壁の第１部分によって、開口より上流側の流路の断面形状が決定され、第１部分と第２部分との間にヒンジ等を設けることで、第２部分が第１部分に対して回転自在となるので、流路の設計が簡単に行えるとともに、簡単な構成により開閉可能な第４壁を構成することができる。
【００１４】
第４壁が第１部分と第２部分とを有する前記画像形成装置において、第３壁は、感光ドラムと反対側に突出して回転軸線方向に延びる第１突出部を有し、第２部分は、第１部分に近い一端と、第１部分から遠い他端とを有し、第１突出部は、第２部分の他端から離れて配置されていることが好ましい。
【００１５】
このような構成によれば、回転軸線方向に延びる第１突出部を第３壁に設けたことにより、第３壁と第４壁によって形成される流路の入口付近で空気の流れを曲げて、流路の入口付近での抵抗を大きくすることができるので、より多くの空気がスコロトロン型帯電器と第１壁部の間を通って感光ドラム側に流れることになる。
【００１６】
第１突出部を第３壁に設けた前記画像形成装置において、第１突出部は、第１方向における第３壁の端部から突出していることが好ましい。
【００１７】
このような構成によれば、第１突出部が、第１方向における第３壁の端部で第３壁から突出しているので、流路の長さを長くして、流路での抵抗を大きくすることができる。
【００１８】
第１突出部を第３壁に設けた前記画像形成装置において、第１突出部は、第２部分の他端よりも感光ドラムと反対側に突出していることが好ましい。
【００１９】
このような構成によれば、第１突出部が第２部分の他端を超えて突出しているので、流路の入口付近での抵抗をさらに大きくすることが可能となり、さらに多くの空気がスコロトロン型帯電器と第１壁部の間を通って感光ドラム側に流れることになる。
【００２０】
前記した画像形成装置において、第３壁と第１位置にある第４壁との間の距離は、帯電器と第１壁部との間の距離よりも小さいことが好ましい。
【００２１】
このような構成によれば、スコロトロン型帯電器と第１壁部との間に形成される空間よりも、流路の断面積を小さくすることができるので、より多くの空気がスコロトロン型帯電器と第１壁部の間を通って感光ドラム側に流れることになる。
【００２２】
前記した画像形成装置において、第１壁部は、感光ドラムを清掃するためのクリーニング部材を有することが好ましい。
【００２３】
このような構成によれば、スコロトロン型帯電器により感光ドラムの表面を帯電させる前に感光ドラムの表面を清掃することができるので、画像形成装置の画質を向上させることができる。
【００２４】
第１壁部がクリーニング部材を有する前記画像形成装置において、クリーニング部材は、感光ドラムと接触するブレードと、ブレードを支持する支持板とを有し、支持板は金属からなることが好ましい。
【００２５】
このような構成によれば、ブレードを支持する支持板を金属製としたことにより、感光ドラムとブレードとの接触部分で温度が上昇することを抑制できる。
【００２６】
前記した画像形成装置は、スコロトロン型帯電器および第１壁部との間で閉空間を形成するダクトを構成するための第２壁部を備えていることが好ましい。
【００２７】
このような構成によれば、スコロトロン型帯電器、第１壁部および第２壁部との間で閉空間を形成するダクトが構成されるので、ダクトを通して、スコロトロン型帯電器と第１壁部の間の空間および流路に、より効率的に空気を流すことができる。
【００２８】
ダクトを構成する第２壁部を備えた前記画像形成装置は、第２壁部とスコロトロン型帯電器の間に配置された第１シールをさらに備えることが好ましい。
【００２９】
このような構成によれば、第１シールを設けたことで、第２壁部とスコロトロン型帯電器の間から空気が漏れることを抑制することができる。
【００３０】
ダクトを構成する第２壁部を備えた前記画像形成装置は、第１壁部と第２壁部の間に配置された第２シールをさらに備えることが好ましい。
【００３１】
このような構成によれば、第２シールを設けたことで、第１壁部と第２壁部の間から空気が漏れることを抑制することができる。
【００３２】
前記した画像形成装置において、帯電フレームは、回転軸線方向に延び、第４壁と第３壁の間に配置された第２突出部を有することが好ましい。
【００３３】
このような構成によれば、第２突出部を設けたことにより、流路に流れる空気の流路抵抗を上げることができるので、より多くの空気がスコロトロン型帯電器と第１壁部の間を通って感光ドラム側に流れることになる。
【００３４】
第２突出部を設けた前記画像形成装置は、筐体の内部に空気を導くためのファンを備え、ダクトは、回転軸線方向における一端部に空気を導入するためのダクト開口を有し、第２突出部は、回転軸線方向において複数配置され、回転軸線方向における各第２突出部の長さは、回転軸線方向においてダクト開口から離れるにつれて短くなることが好ましい。
【００３５】
このような構成によれば、画像形成装置がファンを備えることで、筐体内部全体を流れるエアフローを作り出すことができる。さらに、ダクト開口からダクト内にエアフローを取り入れて、スコロトロン型帯電器と第１壁部の間の空間および流路に空気を流すことができる。
その際、流路に複数配置された第２突出部は、回転軸線方向においてダクト開口から下流側にいくほど流路抵抗が小さくなるように長さが短くなっているので、流路全体に亘って流れる空気の量に偏りをなくすことができ、放電ワイヤ全体に均一な量の空気を供給することができる。
【００３６】
また、第２突出部を設けた前記画像形成装置は、筐体の内部に空気を導くためのファンを備え、ダクトは、回転軸線方向における一端部に空気を導入するためのダクト開口を有し、第２突出部は、回転軸線方向において複数配置され、回転軸線方向における第２突出部どうしの間隔は、回転軸線方向においてダクト開口から離れるにつれて長くなることが好ましい。
【００３７】
このような構成によれば、画像形成装置がファンを備えることで、筐体内部全体を流れるエアフローを作り出すことができる。さらに、ダクト開口からダクト内にエアフローを取り入れて、スコロトロン型帯電器と第１壁部の間の空間および流路に空気を流すことができる。
その際、流路に複数配置された第２突出部は、回転軸線方向においてダクト開口から下流側にいくほど流路抵抗が小さくなるように第２突出部どうしの間隔が長くなっているので、流路全体に亘って流れる空気の量に偏りをなくすことができ、放電ワイヤ全体に均一な量の空気を供給することができる。
【００３８】
前記した画像形成装置において、ガイドは、ワイヤクリーナの非使用時にワイヤクリーナの移動を規制する規制部を有することが好ましい。
【００３９】
放電ワイヤを清掃する際は、第４壁を第２位置に移動させてガイドの上方にワイヤクリーナが通過する空間を確保した状態で、ワイヤクリーナを感光ドラムの回転軸線方向に移動させることになるが、ガイドが規制部を有することにより、清掃後にユーザがワイヤクリーナを確実に非使用位置に戻すことができる。また、非使用位置にあるワイヤクリーナが不用意に移動することを防止できる。
【００４０】
ダクトを構成する第２壁部を備えた前記画像形成装置は、感光ドラムに対応して設けられ、感光ドラムと接触して回転する現像ローラと、現像剤を収容する現像フレームとを有する現像カートリッジをさらに備え、感光ドラムは、第１感光ドラムと、第１感光ドラムと異なる第２感光ドラムとを含み、現像カートリッジは、第１感光ドラムに対応して設けられた第１現像カートリッジと、第２感光ドラムに対応して設けられた第２現像カートリッジとを含み、第１感光ドラムに対応して設けられた第２壁部は、第２現像カートリッジの現像フレームの一部であることが好ましい。
【００４１】
このような構成によれば、別の現像カートリッジの現像フレームが有する第２壁部により、スコロトロン型帯電器と第１壁部との間でダクトが形成されるので、画像形成装置の複数のプロセス部が、それぞれ独立してダクトを形成する構成と比較すると、画像形成装置の小型化を実現することができる。
【発明の効果】
【００４２】
本発明によれば、スコロトロン型帯電器の放電によって発生したオゾンの感光ドラムの周囲における濃度を下げることが可能となる。
【図面の簡単な説明】
【００４３】
【図１】本発明の実施形態に係る画像形成装置の断面図である。
【図２】現像カートリッジを取り外した状態を示すドロワの斜視図である。
【図３】図１の画像形成装置において、用紙搬送方向における最上流側のプロセス部周辺の構成を示す拡大図である。
【図４】図３に示すプロセス部の帯電器周辺の構成を示す拡大図である。
【図５】帯電器の斜視図であり、開位置にあるカバーとワイヤクリーナを示す。
【図６】ドロワの一部を示す平面図である。
【図７】第１変形例に係る帯電器の斜視図である。
【図８】第２変形例に係る帯電器周辺の構成を示す拡大図である。
【発明を実施するための形態】
【００４４】
次に、本発明の一実施形態について、適宜図面を参照しながら詳細に説明する。なお、以下の説明では、カラープリンタの概略構成について説明した後、本願発明の特徴部分について詳細に説明する。
【００４５】
以下の説明において、方向は、カラープリンタ１の使用時のユーザを基準にした方向で説明する。すなわち、図１において、紙面に向かって左側を「前側（手前側）」、紙面に向かって右側を「後側（奥側）」とし、紙面に向かって手前側を「右側」、紙面に向かって奥側を「左側」とする。また、紙面に向かって上下方向を「上下方向」とする。
【００４６】
＜カラープリンタの全体構成＞
図１に示すように、カラープリンタ１は、筐体１０内に、給紙部２０、画像形成部３０、定着部８０および排出部９０を備えている。
【００４７】
筐体１０の前面には開閉自在なフロントカバー１２が、下側に設けられたヒンジ（図示せず）を支点として上下に回動自在に設けられている。
また、筐体１０の上部は、筐体１０から排出された用紙Ｓを蓄積する排紙トレイ１４となっている。
【００４８】
給紙部２０は、筐体１０内の下部に設けられており、用紙Ｓを収容する給紙トレイ２１と、給紙機構２２とを備えている。給紙トレイ２１に収容された用紙Ｓは、給紙機構２２によって画像形成部３０に供給される。
【００４９】
画像形成部３０は、給紙部２０から搬送されてくる用紙Ｓに画像を形成するための構成を有している。画像形成部３０は、フロントカバー１２を開けた際に筐体１０の前面に形成される開口（図示せず）を通して引出し可能に構成されたドロワ（引出部材）３１と、ドロワ３１の上部に位置する露光ユニット４０と、ドロワ３１に支持される４つのプロセス部５０と、転写ユニット７０とを備えている。
【００５０】
ドロワ３１は、図２に示すように、右側壁３２および左側壁３３から突出する一対のガイド部３４,３４（右側のみ図示する）が、筐体１０の左右の側壁に設けたガイドレール（図示せず）に沿って案内されることで、前後方向に移動可能に構成される。
ドロワ３１は、筐体１０の内部に収納される収納位置（図１参照）と、筐体１０から引出された引出位置（図示せず）との間で移動可能となる。
また、ドロワ３１の右側壁３２には、筐体１０の内部を流れる空気をドロワ３１の内部（後述するダクト内）に取り入れるためのダクト開口３６が設けられている。
【００５１】
露光ユニット４０は、筐体１０内の上部に設けられ、図示しないレーザ光源と、符号を省略して示すポリゴンミラー、複数のレンズおよび複数の反射鏡とを備えている。画像データに基づいてレーザ光源から出射されたレーザ光は、ポリゴンミラーや反射鏡で反射され、レンズを通過して、各感光ドラム５１の表面で高速走査される。
【００５２】
図１から図３に示すように、プロセス部５０は、給紙トレイ２１と露光ユニット４０との間で前後に並んで配置され、ドロワ３１に対して回転自在に支持された感光ドラム５１と、ドロワ３１に固定されたスコロトロン型帯電器１００およびクリーニングユニット１４０と、現像ローラ６３、供給ローラ６４、層厚規制ブレード６５およびトナーを収容するトナー収容室６６を含み、ドロワ３１に対して着脱自在に構成された現像カートリッジ６１とを主に備えている。
なお、プロセス部５０の詳細については後述する。
【００５３】
転写ユニット７０は、給紙部２０とプロセス部５０との間に設けられている。転写ユニット７０は、駆動ローラ７１と、従動ローラ７２と、ベルトの一例としての搬送ベルト７３と、転写ローラ７４とを備えている。
【００５４】
駆動ローラ７１および従動ローラ７２は、前後方向に離間して平行に配置され、その間にエンドレスベルトからなる搬送ベルト７３が、感光ドラム５１に接触するように張設されている。また、搬送ベルト７３の内側には、搬送ベルト７３を各感光ドラム５１との間で挟む転写ローラ７４が、各感光ドラム５１に対向して４つ配置されている。この転写ローラ７４には、転写時に定電流制御によって転写バイアスが印加される。
【００５５】
定着部８０は、プロセス部５０の後方に設けられ、加熱ローラ８１と、加熱ローラ８１に対向配置されて加熱ローラ８１を押圧する加圧ローラ８２とを備えている。また、加熱ローラ８１の下流側には、用紙Ｓを排出部９０に向けて搬送する搬送ローラ８３が設けられている。
【００５６】
このように構成される画像形成部３０では、まず、各感光ドラム５１の表面が、スコロトロン型帯電器１００により一様に帯電された後、露光ユニット４０からのレーザ光によって露光されることで、感光ドラム５１上に画像データに基づく静電潜像が形成される。また、現像カートリッジ６１により現像ローラ６３上に一定厚さのトナーが担持される。
【００５７】
そして、現像ローラ６３上に担持されたトナーが、静電潜像が形成された感光ドラム５１に供給されることで、静電潜像が可視像化され、感光ドラム５１上にトナー像が形成される。その後、給紙部２０から供給された用紙Ｓが、感光ドラム５１と搬送ベルト７３（転写バイアスが印加された転写ローラ７４）の間を搬送されることで、各感光ドラム５１上に担持されたトナー像が用紙Ｓ上に順次重ね合わせて転写される。
【００５８】
画像形成部３０でトナー像が転写された用紙Ｓは、加熱ローラ８１と加圧ローラ８２の間を搬送されることでトナー像が熱定着される。以上のようにして、用紙Ｓに画像を形成することができる。画像が形成された用紙Ｓは、搬送ローラ８３によって排出部９０の搬送経路９１に搬送された後、排出ローラ９２によって筐体１０の外部に排出される。
【００５９】
＜プロセス部の構成＞
次に、図２および図３を参照して、プロセス部５０の構成について説明する。
なお、各プロセス部５０は、現像カートリッジ６１のトナー収容室６６に収容されるトナーの色が相違することと、用紙Ｓの搬送方向において最も上流側に位置する現像カートリッジ６１（以下、「最上流側現像カートリッジ６１」という）では、後述するダクト形成部を構成する部分の有無が異なることを除くと、実質的に同一の構成である。
上述したように、４つのプロセス部５０は、感光ドラム５１と、スコロトロン型帯電器１００と、クリーニングユニット１４０と、現像カートリッジ６１とをそれぞれ備えている。
【００６０】
図２に示すように、感光ドラム５１は、ドロワ３１の右側壁３２および左側壁３３に回転自在に支持されている。感光ドラム５１の軸線方向に対向する位置には、スコロトロン型帯電器１００が配置されており、スコロトロン型帯電器１００は、ドロワ３１の右側壁３２および左側壁３３に固定されている。
なお、スコロトロン型帯電器１００の詳細な構成は、後述する本発明の特徴部分において説明する。
【００６１】
図３に示すように、感光ドラム５１の回転方向において、スコロトロン型帯電器１００の上流側にはクリーニングユニット１４０が設けられている。
クリーニングユニット１４０は、スコロトロン型帯電器１００が放電を行う前に感光ドラム５１の表面を清掃するためのものであり、各感光ドラム５１に対応してドロワ３１に固定されている。
クリーニングユニット１４０は、クリーナケース１４１と、クリーニング部材の一例としてのクリーニングブレード１４５と、クリーナケース１４１から残留トナーや異物が落下することを防止するフィルム状のシール部材１４８と、残留トナーや異物を廃トナーボックス（図示せず）に搬送するためのオーガ１４９とを備えている。
【００６２】
クリーニングブレード１４５は、感光ドラム５１の軸線方向に沿って感光ドラム５１と接触し、感光ドラム５１の回転方向において、スコロトロン型帯電器１００と間隔を空けて配置されている。
クリーニングブレード１４５は、感光ドラム５１とスコロトロン型帯電器１００とが対向する方向に延び、スコロトロン型帯電器１００と対向して配置される第１壁部を構成する。
クリーニングブレード１４５は、クリーナケース１４１の上端部に形成されたブレード支持面１４２に固定されたステンレス鋼板（ＳＵＳ板）製のブレード支持板１４６と、ブレード支持板１４６に基端部が接着され、先端部が感光ドラム５１の表面に接触するゴム製のブレード１４７とからなる。
【００６３】
シール部材１４８は、クリーナケース１４１の下部に形成されたシール部材支持面１４３に基端部が接着され、先端部が感光ドラム５１の表面に接触している。
【００６４】
現像カートリッジ６１は、ドロワ３１を引出位置に移動させた状態で、ドロワ３１の上方から着脱可能となっている。
上述したように、現像カートリッジ６１は、現像フレーム６２と、現像フレーム６２に回転自在に支持される現像ローラ６３および供給ローラ６４と、層厚規制ブレード６５とを備え、トナーを収容するトナー収容室６６を有している。
【００６５】
現像フレーム６２は、スコロトロン型帯電器１００と対向する対向壁６７を有している。また、最上流側現像カートリッジ６１を除く他の現像カートリッジ６１では、対向壁６７からスコロトロン型帯電器１００へ向けて突出する突出壁６８を有している。
そして、現像フレーム６２の対向壁６７および突出壁６８は、スコロトロン型帯電器１００およびクリーニングブレード１４５との間で閉空間ＣＳ（図３参照）を形成するダクトを構成するための第２壁部を構成する。
なお、ダクトの詳細については後述する。
【００６６】
現像ローラ６３および供給ローラ６４は、相互に接触した状態で、感光ドラム５１の軸線方向に沿って延びており、現像フレーム６２に回転自在に支持されている。そして、層厚規制ブレード６５が現像ローラ６３の周面に接触している。
【００６７】
＜筐体内部のエアフロー＞
図１に示すように、筐体１０の右側壁には給気ファンＦ１が設けられ、筐体１０の左側壁には排気ファンＦ２が設けられている。詳細には、給気ファンＦ１は、感光ドラム５１より下で筐体１０の右側壁の前寄りの位置に設けられている。排気ファンＦ２は、最も奥側（後側）に位置する感光ドラム５１よりも後側で、定着部８０より上の位置で筐体１０の左側壁に設けられている。
給気ファンＦ１によって筐体１０の内部に取り込まれた空気は、筐体１０内部を右側壁に沿って前方から後方に向けて流れるとともに、ダクト（閉空間ＣＳ）内を筐体１０の左側壁へと向けて流れ、排気ファンＦ２によって筐体１０の外部に排出される。このように筐体１０の内部を流れる空気の流れ（エアフロー）は、図１に破線の矢印で示す。
【００６８】
また、空気の流れ（エアフロー）における排気ファンＦ２よりも上流側、具体的には、用紙Ｓの搬送方向における最下流側に位置するプロセス部５０と排気ファンＦ２との間には、オゾンを吸着するためのフィルタ（図示せず）が設けられている。
【００６９】
各プロセス部５０のスコロトロン型帯電器１００では、コロナ放電によりイオンが発生し、発生したイオンによって感光ドラム５１の表面を均一に帯電させる。
その際、スコロトロン型帯電器１００と感光ドラム５１との間で発生したイオンによるイオン風が発生し、スコロトロン型帯電器１００の周囲を流れるエアフローは、イオン風の負圧によってスコロトロン型帯電器１００と感光ドラム５１との間の空間に引き込まれる。
【００７０】
一方、コロナ放電により副次的にオゾンが発生する。発生したオゾンは、スコロトロン型帯電器１００の周辺、詳細には、感光ドラム５１とクリーニングブレード１４５との接触部分の周辺に滞留することになる。
本実施形態のカラープリンタ１は、筐体１０内部を流れるエアフローをスコロトロン型帯電器１００と感光ドラム５１との間の空間に導いて、スコロトロン型帯電器１００の周辺のオゾンを押し流す構成を備えている。
以下、本発明の特徴部分であるオゾンを感光ドラムの周囲から排出する構成について説明する。
【００７１】
＜帯電器の周辺構造およびダクト形成部の構成＞
図４および図５に示すように、スコロトロン型帯電器１００は、筐体１０の内部で感光ドラム５１に対して間隔を空けて対向配置されている。
スコロトロン型帯電器１００は、感光ドラム５１の軸線方向に延設する放電ワイヤ１０２と、放電ワイヤ１０２と対向する対向電極１０４と、放電ワイヤ１０２を清掃するためのワイヤクリーナ１１０と、放電ワイヤ１０２および対向電極１０４を支持する帯電フレーム１２０とを備えている。
【００７２】
放電ワイヤ１０２は、感光ドラム５１の回転軸線方向に沿って延設されるワイヤであり、帯電フレーム１２０に形成される長溝１２１内に配置され、その両端が帯電フレーム１２０で支持されている。
【００７３】
対向電極１０４は、感光ドラム５１の回転軸線方向に沿って延びて放電ワイヤ１０２と対向するように断面視コ字状に折り曲げられた板状の電極であり、主に、グリッド電極１０６と、一対のシールド電極１０８とを備えている。
【００７４】
グリッド電極１０６は、放電ワイヤ１０２と感光ドラム５１との間に配置される電極であり、コ字状の対向電極１０４の底部に複数のスリットを形成することで複数のワイヤ状に形成されている。
【００７５】
シールド電極１０８は、感光ドラム５１の回転方向で放電ワイヤ１０２を挟むように対向して配置されている。
【００７６】
ワイヤクリーナ１１０は、開口１２９の縁部によって形成されたガイド１３０に沿って、帯電フレーム１２０の長溝１２１内を移動可能に構成される。図６に示すように、ガイド１３０は、開口１２９の左右両端部にワイヤクリーナ１１０を非使用位置に位置決めするための規制部１３１を有している。
ワイヤクリーナ１１０は、図６に示すように、非使用時には帯電フレーム１２０の規制部１３１に位置し（二点鎖線に示す位置参照）、使用時には放電ワイヤ１０２に摺接しながら放電ワイヤ１０２の延設方向に沿って移動させることで、放電ワイヤ１０２を清掃する部材である。
図５に示すように、ワイヤクリーナ１１０は、放電ワイヤ１０２に摺接して、放電ワイヤ１０２を清掃するためのスポンジ１１２と、スポンジ１１２を支持するための支持フレーム１１４とを備えている。
【００７７】
図４に示すように、帯電フレーム１２０は、感光ドラム５１の回転軸線方向に延び、対向電極１０４を支持するための第１壁１２２および第２壁１２３と、第１壁１２２の上端部（感光ドラム５１から遠い端部）１２２Ａおよび第２壁１２３の上端部（感光ドラム５１から遠い端部）１２３Ａを結ぶ第３壁１２４と、第１壁１２２側の位置で第３壁１２４から感光ドラム５１の回転軸線方向に沿って上方に延びる第４壁の一例としてのカバー１２５とを含む。
【００７８】
第１壁１２２は、放電ワイヤ１０２の延設方向に沿って延び、感光ドラム５１の回転方向において放電ワイヤ１０２の上流側に設けられる。
第１壁１２２の下端部（感光ドラム５１に近い端部）１２２Ｂは、感光ドラム５１と間隔を空けて配置されている。
【００７９】
第２壁１２３は、放電ワイヤ１０２の延設方向に沿って延び、感光ドラム５１の回転方向において放電ワイヤ１０２の下流側に設けられる。
第２壁１２３の下端部（感光ドラム５１に近い端部）１２３Ｂは、感光ドラム５１と間隔を空けて配置されている。
【００８０】
第３壁１２４は、第１壁１２２の上端部１２２Ａと第２壁１２３の上端部１２３Ａを結ぶ第１方向に延び、第１壁１２２の上端部１２２Ａ側に位置する第１端部１２４Ａと、第２壁１２３の上端部１２３Ａ側に位置する第２端部１２４Ｂとを有する。第３壁１２４は、第２端部１２４Ｂよりも第１端部１２４Ａに近い側に、感光ドラム５１の回転軸線方向に沿って延びる開口１２９を有している。開口１２９は、第１方向において距離Ｄ２の幅を有している。
第３壁１２４の第２端部１２４Ｂには、上方に突出して感光ドラム５１の回転軸線方向に延びる突出部（第１突出部）１３２が設けられている。
【００８１】
カバー１２５は、第３壁１２４から上方（感光ドラム５１と反対側）に延びる第１部分としての固定部１２６と、固定部１２６に対して回転自在に設けられる第２部分としての可動部１２７と、感光ドラム５１の回転軸線方向における可動部１２７の両端に設けられる回転軸１２８とを含む。
固定部１２６は、第３壁１２４側に位置する下端部（第３壁１２４に近い一端部）１２６Ａと、可動部１２７側に位置する上端部（第３壁１２４から遠い他端部）１２６Ｂとを有している。また、固定部１２６の上端部１２６Ｂは、感光ドラム５１の回転軸線方向における両端部に、回転軸１２８を受ける穴（図示せず）を有している。
可動部１２７は、固定部１２６の上端部１２６Ｂ側に位置する基端部（固定部１２６に近い一端部）１２７Ａと、第２壁１２３側に位置する先端部（固定部１２６から遠い他端部）１２７Ｂとを有しており、可動部１２７の回転軸１２８が固定部１２６の穴に係合することで、可動部１２７が固定部１２６に対して回転自在に支持される。可動部１２７は、第１位置としての閉位置（図４参照）と、第２位置としての開位置（図５参照）との間で開閉自在となる。
【００８２】
可動部１２７が閉位置にあるとき、可動部１２７は固定部１２６の上端部１２６Ｂから第１方向に沿って延び、開口１２９の全体を上側から覆っている。図４に示すように、可動部１２７が閉位置にあるとき、カバー１２５の先端部１２７Ｂは、感光ドラム５１の中心と放電ワイヤ１０２とを結ぶ第２方向（仮想面ＰＬ参照）において、第３壁１２４の上面から距離Ｄ１だけ離間している。
一方、可動部１２７が開位置にあるとき、可動部１２７は第２方向に沿って延び、固定部１２６と略直線状に整列する。
【００８３】
また、図５に示すように、可動部１２７の先端部１２７Ｂは、第３壁１２４の上面と対向する内面に第２突出部としての複数のリブ１３４を備えている。
複数のリブ１３４は、感光ドラム５１の回転軸線方向に沿って設けられており、各リブ１３４どうしの距離が、スコロトロン型帯電器１００の右側端部から左側端部にいくほど長くなっている。
具体的には、隣接するリブ１３４どうしの中心間隔を一定とした上で、各リブの長さをスコロトロン型帯電器１００の右側端部から左側端部に行くほど短くなるように設定している。
これらのリブ１３４は、カバー１２５の可動部１２７が閉位置にあるとき、第３壁１２４の上面と接触する。
【００８４】
次に、図４を参照して、ダクト形成部の構成について説明する。
ダクト形成部は、スコロトロン型帯電器１００およびクリーニングブレード１４５と協働して、スコロトロン型帯電器１００と感光ドラム５１の周囲に適度な閉空間ＣＳ（図３参照）を形成し、筐体１０の内部を流れるエアフローをプロセス部５０の右側端部から左側端部に向けて流れるように案内するとともに、このエアフローをスコロトロン型帯電器１００と感光ドラム５１との間の空間に導くためのものである。ダクト形成部は、感光ドラム５１の軸線方向に沿って延び、スコロトロン型帯電器１００を挟んで感光ドラム５１の反対側に設けられており、スコロトロン型帯電器１００およびクリーニングブレード１４５との間で閉空間ＣＳを形成するダクトを構成する。
具体的には、ダクト形成部は、現像カートリッジ６１の現像フレーム６２のうち、上述した第２壁部を構成する対向壁６７と突出壁６８により構成される。
【００８５】
カラープリンタ１の使用状態では、プロセス部５０のスコロトロン型帯電器１００およびクリーニングブレード１４５と、このプロセス部５０と用紙Ｓの搬送方向下流側で隣接するプロセス部５０の現像カートリッジ６１との間には閉空間ＣＳを形成するダクトが構成される。
詳細には、突出壁６８に設けたスポンジまたはゴム製の第１シールＳＬ１がスコロトロン型帯電器１００の第２壁１２３と接触し、対向壁６７に設けたスポンジまたはゴム製の第２シールＳＬ２がブレード支持板１４６の端面およびクリーナケース１４１のブレード支持面１４２の端面と接触することで、現像フレーム６２の対向壁６７および突出壁６８と、クリーニングブレード１４５と、感光ドラム５１と、スコロトロン型帯電器１００の第２壁１２３とによって囲まれた閉空間ＣＳが形成される。
そして、閉空間ＣＳを形成するダクトは、プロセス部５０の感光ドラム５１と、スコロトロン型帯電器１００と、クリーニングブレード１４５と、用紙Ｓの搬送方向下流側で隣接するプロセス部５０の現像カートリッジ６１とにより構成される。
【００８６】
なお、図１に示すように、用紙Ｓの搬送方向における最下流側に位置するプロセス部５０では、ドロワ３１の可動壁部３１Ａが開閉可能なダクト形成部を構成することで、スコロトロン型帯電器１００およびクリーニングブレード１４５との間で閉空間が形成される。
【００８７】
このように形成されたダクトには、ドロワ３１の右側壁３２に設けたダクト開口３６（図２参照）から筐体１０の内部を流れるエアフローが導入される。
【００８８】
閉空間ＣＳの内部では、スコロトロン型帯電器１００の上部空間にドロワ３１の右側壁３２から左側壁３３に向けて流れる第１エアフローＡＦ１を流すための第１流路が形成される。
第１流路は、スコロトロン型帯電器１００の第３壁１２４およびカバー１２５と、現像フレーム６２の対向壁６７および突出壁６８との間の空間によって形成される。
【００８９】
また、閉空間ＣＳの内部では、第１流路を流れる第１エアフローＡＦ１の一部を導いて、閉位置にあるカバー１２５の外側（すなわち、カバー１２５の可動部１２７の外面と固定部１２６の外面）と現像カートリッジ６１の対向壁６７との間から、スコロトロン型帯電器１００の第１壁１２２とクリーニングブレード１４５との間の空間を通り、感光ドラム５１とクリーニングブレード１４５のブレード１４７との接触部分まで流れる第２エアフローＡＦ２を流すための第２流路が形成される。
なお、スコロトロン型帯電器１００とクリーニングブレード１４５は相互に間隔を空けて配置されており、第１壁１２２とブレード支持板１４６との間の距離Ｄ３が最も狭くなっている。
第２流路は、スコロトロン型帯電器１００のカバー１２５、第３壁１２４および第１壁１２２と、クリーニングブレード１４５との間の空間と、第１壁１２２の下端部１２２Ｂと感光ドラム５１との間の隙間とによって形成される。
【００９０】
また、閉空間ＣＳの内部では、第１流路を流れる第１エアフローＡＦ１の一部を導いて、閉位置にあるカバー１２５の内側（すなわち、カバー１２５の可動部１２７の内面と第３壁１２４の外面との間）を通り、スコロトロン型帯電器１００と感光ドラム５１との間の空間（長溝１２１）まで流れる第３エアフローＡＦ３を流すための第３流路が形成される。第３エアフローＡＦ３は、カバー１２５の可動部１２７の内面に設けたリブ１３４の間を通り、開口１２９を抜けて、帯電フレーム１２０の長溝１２１内へと流れる。
第３流路は、スコロトロン型帯電器１００の第３壁１２４とカバー１２５の可動部１２７との間の空間と、開口１２９と、スコロトロン型帯電器１００の第１壁１２２、第２壁１２３および第３壁１２４と感光ドラム５１とにより囲まれた空間とによって形成される。
【００９１】
また、閉空間ＣＳの内部では、第２流路を通過した第２エアフローＡＦ２と第３流路を通過した第３エアフローＡＦ３が合流して、第２壁１２３の下端部１２３Ｂと感光ドラム５１との間の隙間を通ってダクトの外部へ流れる第４エアフローＡＦ４を流すための第４流路が形成される。
第４流路は、第１壁１２２の下端部１２２Ｂおよび第２壁１２３の下端部１２３Ｂと感光ドラム５１との間の隙間によって形成される。
【００９２】
このように、第１エアフローＡＦ１の一部は、第２エアフローＡＦ２として、カバー１２５の外側を通ってクリーニングブレード１４５のブレード１４７と感光ドラム５１との接触部分の周辺のオゾンを押し流す。
また、第１エアフローＡＦ１の一部は、イオン風の負圧により、カバー１２５の内側を通って、スコロトロン型帯電器１００と感光ドラム５１との間の空間に引き込まれ、放電ワイヤ１０２の周囲に空気を供給する第３エアフローＡＦ３となる。
そして、第２エアフローＡＦ２と第３エアフローＡＦ３が合流して第４エアフローＡＦ４となり、オゾンを含む排出空気がダクトの外へ排出される。
各プロセス部５０から第４エアフローＡＦ４としてダクトの外へ排出されたオゾンを含む排出空気は、用紙Ｓの搬送方向における最下流側に位置するプロセス部５０と排気ファンＦ２との間に設けられるオゾンフィルタ（図示せず）を通過することでオゾンが吸着され、カラープリンタ１の機外にオゾンが漏出することが抑制される。
【００９３】
本実施形態では、ブレード１４７と感光ドラム５１との接触部分の周辺のオゾンを押し流すため、第２流路を流れる第２エアフローＡＦ２と第３流路を流れる第３エアフローＡＦ３の流量を調整している。
具体的には、第１エアフローＡＦ１のうち、より多くの空気が第２エアフローＡＦ２として第２流路を流れるようにするため、第２流路に流れる空気の流路抵抗よりも第３流路に流れる空気の流路抵抗の方が大きくなるように第２流路と第３流路の寸法を設定している。
詳細には、第３流路における距離Ｄ１は、第１方向における開口１２９の幅（距離Ｄ２）よりも小さくなっている。また、当該距離Ｄ１は、第２流路における第１壁１２２とブレード支持板１４６との間の最短距離（距離Ｄ３）よりも小さくなっている。
【００９４】
第２流路を流れる第２エアフローＡＦ２の流量と、第３流路を流れる第３エアフローＡＦ３の流量は、各流路における流路断面積の大小に関係し、流路断面積の大きい流路により多くの空気が流れることになる。
上述したように、第３流路における開口１２９の上流側に、開口１２９の幅（距離Ｄ２）よりも狭い（距離Ｄ１）部分を設けることで、第３流路の流路断面積を小さくしている。さらに、カバー１２５の可動部１２７の内面に複数のリブ１３４を設けたことで、距離Ｄ１と、リブ１３４どうしの間に形成される開口部の長さの合計距離とにより決定される第３流路の流路断面積をさらに小さくしている。一方、第２流路においては、第１壁１２２とブレード支持板１４６との距離がＤ３となる部分で流路断面積が最小となるが、当該距離Ｄ３は第３流路における距離Ｄ１よりも大きいため、第２流路の流路断面積が第３流路の流路断面積よりも小さくなることはない。
したがって、常に第２流路側により多くの空気が流れることになるので、ブレード１４７と感光ドラム５１との接触部分の周辺のオゾンを押し流すことができる。
【００９５】
また、カバー１２５の可動部１２７と、感光ドラム５１の回転方向上流側で可動部１２７の先端部１２７Ｂから離れて配置された突出部１３２とにより、第３流路の入口部分は、第２流路の入口部分よりも流路の断面積が小さくなっている。
さらに、可動部１２７の先端部１２７Ｂは、感光ドラム５１の中心と放電ワイヤ１０２とを結ぶ仮想面ＰＬを挟んで、開口１２９の反対側に位置している。このように配置することで、第３流路の流路長を長くして、第３流路に流れる空気の流路抵抗を大きくしている。
【００９６】
以上のように構成されたプロセス部５０を備えたカラープリンタ１の作用効果について説明する。
図１および図４に示すように、給気ファンＦ１によって筐体１０の内部に取り込まれた空気は、ドロワ３１に設けたダクト開口３６を通して各プロセス部５０のダクトに導かれ、スコロトロン型帯電器１００の右側端部から左側端部に向けてダクトの内部を第１エアフローＡＦ１として流れる。
【００９７】
そして、第１エアフローＡＦ１は、第２エアフローＡＦ２と第３エアフローＡＦ３に別れてそれぞれ第２流路と第３流路に流れる。その際、第３流路を流れる第３エアフローＡＦ３により、放電ワイヤ１０２の周囲に放電に必要な空気が供給される一方で、より多くの空気が第２エアフローＡＦ２として第２流路を流れて、ブレード１４７と感光ドラム５１との接触部分の周辺のオゾンを押し流す。スコロトロン型帯電器１００と感光ドラム５１との間の空間では、イオン風の負圧により、第１エアフローＡＦ１の一部が引き込まれることになるが、カバー１２５を設けたことにより、第２流路側により多くの空気を流すことができる。
第２エアフローＡＦ２と第３エアフローＡＦ３は、合流して第４エアフローＡＦ４となり、オゾンを含む排出空気がダクトの外へ排出される。
【００９８】
各プロセス部５０でダクトから排出された第４エアフローＡＦ４は、図１に示すように、隣接するプロセス部５０の間の空間を流れ、筐体１０の後方へ流れた後、排気ファンＦ２によって筐体１０の外部に排出される。その際、用紙Ｓの搬送方向における最下流側に位置するプロセス部５０と排気ファンＦ２との間に設けられるオゾンフィルタ（図示せず）を通過することで、オゾンが吸着される。
【００９９】
以上によれば、本実施形態において以下のような効果を得ることができる。
閉位置にあるカバー１２５の可動部１２７により、第１エアフローＡＦ１を第２エアフローＡＦ２と第３エアフローＡＦ３に分けて案内することができる。その際、帯電フレーム１２０の第３壁１２４と閉位置にある可動部１２７との距離Ｄ１が、第１方向における開口１２９の幅（距離Ｄ２）よりも小さくなっているので、第３流路における開口１２９の上流側で、第３壁１２４とカバー１２５によって形成される流路の断面積が小さくなる部分が形成される。
したがって、より多くの空気が第２流路を通って感光ドラム５１とブレード１４７との接触部に流れることになる。その結果、スコロトロン型帯電器１００の放電によって発生した感光ドラム５１の周囲にあるオゾンを、スコロトロン型帯電器１００とクリーニングブレード１４５の間を流れる第２エアフローＡＦ２によって、押し流すことが可能となる。
また、カバー１２５の可動部１２７を閉位置に移動させることで、ユーザはワイヤクリーナ１１０の操作を容易に行うことができる。
【０１００】
また、第３流路における開口１２９の上流側で、第３壁１２４とカバー１２５によって形成される流路の最小断面積が開口１２９の断面積よりも小さいので、複数のリブ１３４または１３６を設けることにより感光ドラム５１の回転軸線方向で第３流路の断面形状が変化するような場合でも、より多くの空気が第２流路を通って感光ドラム５１とブレード１４７との接触部に流れることになる。
【０１０１】
カバー１２５の可動部１２７が閉位置にあるとき開口１２９の全体を覆うので、第３流路の長さを長くすることが可能となり、より多くの空気が第２流路を通って感光ドラム５１とブレード１４７との接触部に流れることになる。
【０１０２】
カバー１２５は、第３壁１２４から上方に延びる固定部１２６と、固定部１２６に対して回転自在に設けられた可動部１２７を備え、閉位置にあるとき、可動部１２７は固定部１２６の上端部１２６Ｂから第１方向に沿って延びている。したがって、可動部１２７が閉位置にあるとき、開口１２９より上流側の第３流路の断面形状は、固定部１２６によって決定されることになるので、第３流路の設計を簡単に行うことができる。
また、固定部１２６と可動部１２７との間に回転軸１２８を設けるという簡単な構成により、閉位置と開位置との間で開閉可能なカバー１２５を構成することができる。
【０１０３】
感光ドラム５１と反対側に突出して感光ドラム５１の回転軸線方向に延びる突出部１３２を第３壁１２４に設けたことにより、第３壁１２４とカバー１２５によって形成される第３流路の入口付近で第３エアフローＡＦ３の流れを曲げて、第３流路の入口付近での抵抗を大きくすることができるので、より多くの空気が第２流路を通って感光ドラム５１とブレード１４７との接触部に流れることになる。
【０１０４】
突出部１３２が、第１方向における第３壁１２４の端部で第３壁１２４から突出しているので、第３流路の長さを長くして、第３流路での抵抗を大きくすることができる。
【０１０５】
第３壁１２４と閉位置にある可動部１２７との距離Ｄ１が、スコロトロン型帯電器１００の第１壁１２２とクリーニングブレード１４５との間の最短距離Ｄ３よりも小さくなっているので、第２流路の流路断面積よりも第３流路の流路断面積を小さくすることができる。したがって、より多くの空気が第２流路を通って感光ドラム５１とブレード１４７との接触部に流れることになる。
【０１０６】
カラープリンタ１が、感光ドラム５１の回転方向においてスコロトロン型帯電器１００の上流側に位置し、感光ドラム５１を清掃するためのクリーニングブレード１４５を備えているので、スコロトロン型帯電器１００により感光ドラム５１の表面を帯電させる前に感光ドラム５１の表面を清掃することができるので、カラープリンタ１の画質を向上させることができる。
【０１０７】
クリーニングブレード１４５は、感光ドラム５１と接触するブレード１４７と、ブレードを支持するブレード支持板１４６とを有し、ブレード支持板１４６を金属製としたことにより、ブレード１４７の熱をブレード支持板１４６で逃がして、感光ドラム５１とブレード１４７との接触部分で温度が上昇することを抑制できる。
【０１０８】
現像カートリッジ６１の対向壁６７および突出壁６８が、スコロトロン型帯電器１００と、クリーニングブレード１４５と、感光ドラム５１との間で閉空間ＣＳを形成するダクトを構成するので、第２流路および第３流路により効率的に空気を流すことができる。
【０１０９】
現像カートリッジ６１の突出壁６８と、スコロトロン型帯電器１００の第２壁１２３との間に第１シールＳＬ１を設けたことで、突出壁６８と第２壁１２３の間から空気が漏れることを抑制することができる。
【０１１０】
クリーニングブレード１４５と現像カートリッジ６１の対向壁６７との間に第２シールＳＬ２を設けたことで、クリーニングブレード１４５と対向壁６７の間から空気が漏れることを抑制することができる。
【０１１１】
カバー１２５の可動部１２７に、感光ドラム５１の回転軸線方向に延びる複数のリブ１３４を設けたことにより、第３流路に流れる空気の流路抵抗を上げることができるので、より多くの空気が第２流路を通って感光ドラム５１とブレード１４７との接触部に流れることになる。
【０１１２】
カラープリンタ１が、筐体１０の内部に空気を導くための給気ファンＦ１を備え、ダクトが給気ファンＦ１からの空気を導入するためのダクト開口３６を有し、複数のリブ１３４は、感光ドラム５１の回転軸線方向において、ダクト開口３６から下流側にいくほど流路抵抗が小さくなるように長さが短くなっている。このような構成によると、給気ファンＦ１により作り出され、筐体１０の内部全体を流れるエアフローを、ダクトのダクト開口３６から取り入れて、第２流路および第３流路へ案内することができる。
その際、第３流路に複数配置されたリブ１３４により、第３流路全体に亘って流れる空気の量に偏りをなくすことができ、放電ワイヤ１０２全体に均一な量の空気を供給することができる。
【０１１３】
開口１２９によって構成されたガイド１３０が、ワイヤクリーナ１１０の非使用時にワイヤクリーナ１１０の移動を規制する規制部１３１を有しているので、放電ワイヤ１０２の清掃後にユーザがワイヤクリーナ１１０を確実に非使用位置に戻すことができる。また、非使用位置にあるワイヤクリーナ１１０が不用意に移動することを防止できる。
【０１１４】
カラープリンタ１は、プロセス部５０の感光ドラム５１と、スコロトロン型帯電器１００およびクリーニングブレード１４５と、用紙Ｓの搬送方向下流側で隣接するプロセス部５０の現像カートリッジ６１とにより、ダクトが形成される。
そのため、複数のプロセス部５０が、それぞれ独立してダクトを形成する構成と比較すると、カラープリンタ１の小型化を実現することができる。
【０１１５】
以上、本発明の実施形態について説明したが、本発明は前記実施形態に限定されるものではない。具体的な構成については、本発明の趣旨を逸脱しない範囲で適宜変更が可能である。なお、以下の説明では、前記実施形態と略同様の構成については、同じ符号を付して説明を省略する。
【０１１６】
前記実施形態では、第３壁１２４の第２端部１２４Ｂに設けた突出部１３２が、閉位置にあるカバー１２５の可動部１２７を超えない高さで突出しているが、本発明はこのような構成に限定されない。例えば、図４に破線で示すように、カバー１２５の可動部１２７の上面を超えて対向壁６７側に突出する突出部１３３を設けてもよい。
【０１１７】
このような構成によると、突出部１３３が、閉位置にある可動部１２７の先端部１２７Ｂを超えて突出しているので、第３流路の入口付近での抵抗をさらに大きくすることが可能となり、さらに多くの空気がスコロトロン型帯電器１００とクリーニングブレード１４５との間を通って感光ドラム５１側に流れることになる。
【０１１８】
なお、突出部１３３を設ける位置を変更したり、第３壁１２４が突出部を備えない構成とすることもできる。
【０１１９】
また、前記実施形態では、カバー１２５の可動部１２７の内面に、感光ドラム５１の回転軸線方向に沿って複数のリブ１３４を設けたが、本発明はこのような構成に限定されない。例えば、図７に示すように、帯電フレーム１２０の第３壁１２４が、閉位置にある可動部１２７の先端部１２７Ｂに向けて突出する複数のリブ１３６を備える構成とすることもできる。
複数のリブ１３６は、感光ドラム５１の回転軸線方向に沿って設けられており、各リブ１３６どうしの距離が、スコロトロン型帯電器１００の右側端部から左側端部にいくほど長くなっている。
具体的には、各リブ１３６の長さを一定とした上で、スコロトロン型帯電器１００の右側端部から左側端部に行くほど、隣接するリブ１３６どうしの中心間隔が長くなるように配置している。
これらのリブ１３６は、カバー１２５の可動部１２７が閉位置にあるとき、可動部１２７の内面と接触する。
【０１２０】
このような構成によると、感光ドラム５１の回転軸線方向において、ダクト開口３６から下流側にいくほど流路抵抗が小さくなるようにリブ１３６を配置したことにより、第３流路全体に亘って流れる空気の量に偏りをなくすことができ、放電ワイヤ１０２全体に均一な量の空気を供給することができる。
また、カバー１２５の可動部１２７に複数のリブ１３４を設けた場合に比較すると、リブ１３６が第３壁１２４に設けられていることで、開位置にある可動部１２７が閉位置へ倒れ難くなるので、ワイヤクリーナ１１０の操作を容易に行うことができる。
【０１２１】
なお、複数のリブを可動部１２７の内面と第３壁１２４の上面の両方に設けることもできる。この場合、カバー１２５の可動部１２７が閉位置にあるとき、ダクト開口３６から下流側にいくほど流路抵抗が小さくなるように複数のリブを配置することが望ましい。
【０１２２】
また、可動部１２７に設けた複数のリブ１３４または第３壁１２４に設けた複数のリブ１３６は省略することも可能である。このような構成であっても、閉位置にある可動部１２７と第３壁１２４の間の距離Ｄ１が開口１２９の幅（距離Ｄ２）よりも短いために、第３流路の入口付近で流路断面積が小さくなり、第３流路に流れ込む空気の量を絞ることができる。
したがって、第２流路側により多くの空気が流れることになるので、ブレード１４７と感光ドラム５１との接触部分の周辺にあるオゾンを、押し流すことが可能となる。
【０１２３】
また、前記実施形態では、カバー１２５が第１壁１２２側の位置で第３壁１２４から上方に延びる構成としたが、本発明はこのような構成に限定されない。例えば、図８に示すように、カバー１２５が第２壁１２３側の位置で第３壁１２４から上方に延びる構成とすることもできる。
【０１２４】
また、前記実施形態では、クリーニング部材としてクリーニングブレード１４５を用いた構成を説明したが、本発明はこのような構成に限定されない。例えば、クリーニング部材としてクリーニングローラを用いる構成とすることもできる。
【０１２５】
また、前記実施形態では、突出壁６８が、隣接する現像カートリッジ６１の対向壁６７からスコロトロン型帯電器１００へ向けて突出する構成としたが、本発明はこのような構成に限定されない。例えば、突出壁が、帯電フレーム１２０から隣接する現像カートリッジ６１の対向壁６７に向けて突出する構成とすることもできる。
【０１２６】
また、前記実施形態では、カラープリンタ１に本発明を適用したが、本発明はこれに限定されず、その他の画像形成装置、例えば複写機や複合機などに本発明を適用してもよい。
【符号の説明】
【０１２７】
１        カラープリンタ
１０      筐体
３１      ドロワ
３２      右側壁
３６      ダクト開口
５１      感光ドラム
６１      現像カートリッジ
６２      現像フレーム
６３      現像ローラ
６７      対向壁
６８      突出壁
１００    スコロトロン型帯電器
１０２    放電ワイヤ
１１０    ワイヤクリーナ
１２０    帯電フレーム
１２２    第１壁
１２２Ａ  上端部
１２２Ｂ  下端部
１２３    第２壁
１２３Ａ  上端部
１２３Ｂ  下端部
１２４    第３壁
１２４Ａ  第１端部
１２４Ｂ  第２端部
１２５    カバー
１２６    固定部
１２６Ａ  下端部
１２６Ｂ  上端部
１２７    可動部
１２７Ａ  基端部
１２７Ｂ  先端部
１２９    開口
１３０    ガイド
１３１    規制部
１３２    突出部
１３３    突出部
１３４    リブ
１３６    リブ
１４５    クリーニングブレード
１４６    ブレード支持板
１４７    ブレード
Ｄ１      距離
Ｄ２      距離
Ｄ３      距離
Ｆ１      給気ファン
ＳＬ１    第１シール
ＳＬ２    第２シール
【図１】
2016191812.tif 000003
【図２】
2016191812.tif 000004
【図３】
2016191812.tif 000005
【図４】
2016191812.tif 000006
【図５】
2016191812.tif 000007
【図６】
2016191812.tif 000008
【図７】
2016191812.tif 000009
【図８】
2016191812.tif 000010